(57)【特許請求の範囲】
【請求項１】
複数のブロックを水平方向及び鉛直方向に配列し前記ブロック同士の隣接部分を固化材で固着することによって形成された壁体と、一方の端部のみを前記壁体の側面から前記壁体の内部に挿入した状態で前記側面に沿って階段状に配置された直方体形状若しくは平板形状をした複数の踏み板と、前記踏み板の一方の端部を前記壁体に固定する固定手段と、を備え、
前記固定手段として、前記壁体内に位置する前記踏み板の端部を鉛直方向に貫通する方向に設けられた定着部材と、前記定着部材と前記壁体を形成するブロックとを一体的に固着する固化材と、を用いた階段構造。
【請求項２】
前記壁体内に鉛直方向に配筋された縦筋材の一部を前記定着部材とした請求項１記載の階段構造。
【請求項３】
前記壁体の側面と前記踏み板との間に支持部材を設けた請求項１または２記載の階段構造。
【発明の詳細な説明】
【技術分野】
【０００１】
本発明は、一般住宅、集合住宅、店舗、オフィスビルあるいは公共施設などの各種建設物において施工可能な階段構造に関する。
【背景技術】
【０００２】
住宅、店舗あるいは公共施設などの各種建設物に施工される階段構造については、従来、様々な方式が提案されているが、本発明に関連するものとして、例えば、特許文献１記載の「コンクリートブロックで構築された階段」あるいは、特許文献２記載の「階段踏み板取付構造及び階段装置」などがある。
【０００３】
特許文献１に開示されている「コンクリートブロックで構築された階段」は、当該文献１の図１，図２に記載されているように、取付け部を一側に有し、かつ形状が統一された断面Ｌ字形のコンクリートブロック片１の適当数を、取付け部を介して擁壁に取り付け、取付け部の貫通孔６から擁壁７に向かってアンカーボルト９をねじ込むことにより、複数のコンクリートブロック片１を擁壁７の前面に階段状に固定してなる階段である。
【０００４】
また、特許文献２に開示されている「階段踏み板取付構造」は、当該文献２の図１などに記載されているように、壁１から水平方向に突設される支持アングル２に、中空箱型で一側面に前記支持アングル２挿入用の開口３１を有する踏み板箱３を被せてなるものであって、踏み板箱３は支持アングル２全体を被装し、壁１に前記踏み板箱３の側面が当接され、そして支持アングル２の踏み板箱３への挿入先端が、踏み板箱３の開口３１の対面側内面に当接されている。
【先行技術文献】
【特許文献】
【０００５】
【特許文献１】実用新案登録第３０４１２４１号公報
【特許文献２】特開２００６−２００２９３号公報
【発明の概要】
【発明が解決しようとする課題】
【０００６】
特許文献１，２に記載されている従来の階段構造においては、擁壁や壁を構築する工事と、階段部分を形成する工事と、を個別に施工しなければならないので、施工工程が複雑化し、工期の遅延や施工コストの増大を招く可能性が大である。また、擁壁や壁に対し、コンクリートブロック片や支持アングルなどを固定する手段として、アンカーボルトなどが必要であるため、部品点数が増加し、資材コストの増大の要因となることがある。
【０００７】
そこで、本発明が解決しようとする課題は、施工工程の簡略化、施工コストの低減を図ることができ、強度に優れ、外観性も良好な階段構造を提供することにある。
【課題を解決するための手段】
【０００８】
前記課題を解決するため、本発明の階段構造は、複数のブロックを水平方向及び鉛直方向に配列し前記ブロック同士の隣接部分を固化材で固着することによって形成された壁体と、一方の端部のみを前記壁体の側面から前記壁体の内部に挿入した状態で前記側面に沿って階段状に配置された直方体形状若しくは平板形状をした複数の踏み板と、前記踏み板の一方の端部を前記壁体に固定する固定手段と、を備え、
前記固定手段として、前記壁体内に位置する前記踏み板の端部を鉛直方向に貫通する方向に設けられた定着部材と、前記定着部材と前記壁体を形成するブロックとを一体的に固着する固化材と、を用いたことを特徴とする。
【０００９】
このような構成とすれば、複数のブロックを水平方向及び鉛直方向に配列しながら壁体を構築していく工程において、複数の踏み板の一方の端部を壁体の側面から内部に挿入した状態に取り付けていくことにより、複数の踏み板を階段状に配置することができる。また、階段状に配置された複数の踏み板の一方の端部は所定の固定手段を用いることによって壁体に固定されるので、壁体を形成する作業と、階段を形成する作業と、を同時進行させながら施工することが可能となり、施工工程の簡略化、施工コストの低減を図ることができる。
【００１０】
さらに、本発明の階段構造においては、予め構築した壁体に対し、複数の踏み板を階段状に固定するための固定部材などが不要となるので、施工コストの低減に有効であり、強度に優れ、固定部材の露出を回避することができるので、外観性も良好である。
【００１１】
ここで、前記固定手段として、前記壁体内に挿入された前記踏み板の端部と、前記壁体を形成するブロック体と、を一体的に固着する固化材を用いることができる。
【００１２】
このような構成とすれば、踏み板の一方の端部が壁体の内部に埋め込まれた状態で固化材によって固着され、それぞれの踏み板の端部にブロックの重量が掛かった状態となるので、踏み板を安定的に支持することができ、強度も優れている。また、固定部材が露出することもないので、外観性も良好である。
【００１３】
また、本発明の階段構造においては、前記固定手段として、前記壁体内に位置する前記踏み板の端部を鉛直方向に貫通する方向に設けられた定着部材と、前記定着部材と前記壁体を形成するブロックとを一体的に固着する固化材と、を用いている。
【００１４】
このような構成とすれば、前述と同様、踏み板の一方の端部が壁体の内部に埋め込まれた状態で固定され、それぞれの踏み板の端部にブロックの重量が掛かった状態となるので、踏み板を安定的に支持することができ、強度も優れている。また、固定部材が露出することもないので、外観性も良好である。
【００１５】
この場合、前記壁体内に鉛直方向に配筋された縦筋材の一部を前記定着部材として使用することもできる。
【００１６】
一方、前記壁体の側面と前記踏み板との間に支持部材を設けることもできる。
【発明の効果】
【００１７】
本発明により、施工工程の簡略化、施工コストの低減を図ることができ、外観性も良好な階段構造を提供することができる。
【図面の簡単な説明】
【００１８】
【図１】本発明の第１実施形態である階段構造を示す一部省略斜視図である。
【図２】図１中の矢線Ａ方向から見た階段構造を示す一部省略側面図である。
【図３】図２中のＢ−Ｂ線における一部省略断面図である。
【図４】図１に示す階段構造の施工過程を示す側面図である。
【図５】図４中の矢線Ｃ方向から見た平面図である。
【図６】本発明の第２実施形態である階段構造を示す一部省略側面図である。
【図７】図６中のＤ−Ｄ線における一部省略断面図である。
【図８】図６に示す階段構造の施工過程を示す側面図である。
【発明を実施するための形態】
【００１９】
以下、図１〜図８に基づいて、本発明の第１，第２実施形態である階段構造１００，２００について説明する。
【００２０】
図１〜図３に示すように、本発明の第１実施形態である階段構造１００は、所定の基礎構造体（図示せず）上に構築された垂直平板状の壁体２０と、壁体２０の一方の側面２１に沿って階段状に取り付けられた複数の踏み板３０と、を備えている。壁体２０は、複数のブロック１０を水平方向及び鉛直方向に配列してブロック１０同士の隣接部分を固化材Ｘで固着することによって形成されている。直方体形状をした複数の踏み板３０は、それぞれの一方の端部３０ａを壁体２０の側面２１から壁体２０の内部に挿入した状態で側面２１に沿って階段状をなすように配置されている。壁体２０内に挿入された踏み板３０の端部３０ａは、後述する固定手段４０によって壁体２０と一体をなすように固定されている。
【００２１】
図２に示すように、踏み板３０の横断面３０ｓのサイズ、形状は、壁体２０を形成するブロック１０の側面１０ａのサイズ、形状と同等であるため、壁体２０を形成するブロック１０の１個が占有する領域と同じ領域に、ブロック踏み板３０の端部３０ａ（図３参照）を挿入することができる。
【００２２】
本実施形態の階段構造１００においては、固定手段４０として、壁体２０内に位置する踏み板３０の端部３０ａに形成された凹溝部３１を鉛直方向に貫通する状態に設けられた定着部材２３と、定着部材２３と壁体２０を形成するブロック１０とを一体的に固着する固化材Ｙと、を用いている。また、階段構造１００においては、壁体２０内に鉛直方向に配筋された縦筋材２３の一部を定着部材２３として使用している。
【００２３】
縦筋材２３は、各ブロック１０の端面に形成された凹溝部１１及び踏み板３０の凹溝部３１の内部を鉛直方向に貫通するように配筋され、縦筋材２３と、凹溝部１１，３１の内周面との間に固化材Ｙが充填されている。
【００２４】
ここで、図４，図５に基づいて、図１に示す階段構造１００の施工方法について説明する。図４に示すように、壁体２０を形成するために所定高さまで配列されたブロック１０ｘの上に、最下部に位置する踏み板３０ｘの一方の端部３０ａを載置する。このとき、図３に示すように、踏み板３０ｘの他方の端部３０ｂの下面側に支柱５０を着脱可能に配置することにより踏み板３０ｘを水平状態に保持する。この後、図５に示すように、縦筋材２３と、凹溝部３１の内周面との間に固化材Ｙを充填する。
【００２５】
この後、図４，図５に示すように、踏み板３０ｘと隣接する位置に踏み板３０ｘと同じ高さに配列されたブロック１０ｙの上に、踏み板３０ｘの次段に位置する踏み板３０ｙの一方の端部３０ａを載置し、前述と同様、踏み板３０ｙの他方の端部３０ｂを支柱５０で支え、縦筋材２３と、凹溝部３１の内周面との間に固化材Ｙを充填する。
【００２６】
次に、図４，図５に示すように、踏み板３０ｙと隣接する位置に踏み板３０ｙと同じ高さに配列されたブロック１０ｚの上に、踏み板３０ｙの次段に位置する踏み板３０ｚの一方の端部３０ａを載置し、前述と同様、踏み板３０ｚの他方の端部３０ｂを支柱５０で支え、縦筋材２３と、凹溝部３１の内周面との間に固化材Ｙを充填する。なお、隣接するブロック１０の間及びブロック１０と踏み板３０の端部３０ａと間は固化材Ｘによって固着される。
【００２７】
以下、必要とする階段の段数に達するまで、ブロック１０の積み上げ及び踏み板３０の配置を繰り返し、固化材Ｘ，Ｙが固化した後、支柱５０を取り外せば、支柱図１に示す階段構造１００を構築することができる。なお、踏み板３０が比較的軽量であれば、図３に示す支柱５０を使用せずに施工を行うことも可能である。また、図３に示すように、壁体２０の側面２１と踏み板３０の下面との間に支持部材６０を取り付けて、踏み板３０に対する耐荷重向上を図ることもできる。
【００２８】
階段構造１００においては、複数のブロック１０を水平方向及び鉛直方向に配列しながら壁体２０を構築していく工程において、複数の踏み板３０の一方の端部３０ａを壁体２０の側面２１から内部に挿入した状態に取り付けていくことにより、複数の踏み板３０を階段状に配置することができる。また、階段状に配置された複数の踏み板３０の一方の端部３０ａは固定手段４０を用いることによって壁体２０に固定されるので、壁体２０を形成する作業と、階段を形成する作業と、を同時進行させながら施工することが可能となり、施工工程の簡略化、施工コストの低減を図ることができる。
【００２９】
また、従来の壁体構造のように、予め構築した壁体に対し、複数の踏み板を階段状に固定するための固定部材などが不要となるので、施工コストを低減することができる。さらに、踏み板３０の一方の端部３０ａを壁体２０の内部に挿入した状態で固定することにより、それぞれの踏み板３０の端部３０ａに、当該端部３０ａより上方に配列されたブロック１０の重量が掛かった状態となるので、強度も優れている。また、踏み板３０の一方の端部３０ａが壁体２０の内部に埋め込まれた状態で固定されるので、固定手段４０が目に触れるような状態で露出するのを回避することができ、外観性も良好である。
【００３０】
本実施形態の階段構造１００においては、図３，図５に示すように、踏み板３０の一方の端部３０ａの端面は、壁体２０の他方の側面２２と略同一平面をなすように配置されているが、これに限定するものではない。また、階段構造１００を構成する壁体２０は平板形状であるが、これに限定しないので、円柱体の外周面の一部をなすような壁体に複数の踏み板を階段状に取り付けることにより、所謂、螺旋階段状の階段構造を構築することも可能である。
【００３１】
次に、図６〜図８に基づいて、本発明の第２実施形態である階段構造２００について説明する。なお、図６〜図８に示す階段構造２００において、前述した階段構造１００を構成する部分と共通する部分については、図１〜図５中の符号と同じ符号を付して説明を省略する。
【００３２】
図６，図７に示すように、本発明の第２実施形態である階段構造２００は、所定の基礎構造体（図示せず）上に構築された垂直平板状の壁体２０と、壁体２０の一方の側面２１に沿って階段状に取り付けられた複数の踏み板７０と、を備えている。図２に示す階段構造１００を構成する踏み板３より、厚みが小さい、平板形状をした複数の踏み板７０は、それぞれの一方の端部７０ａを壁体２０の側面２１から壁体２０の内部に挿入した状態で側面２１に沿って階段状をなすように配置されている。図６に示すように、踏み板７０の横断面７０ａの水平方向のサイズは、ブロック１０の側面１０ａの水平方向のサイズと同等であり、踏み板７０の横断面７０ｘの鉛直方向のサイズは、ブロック１０の側面１０ａの鉛直方向のサイズの半分以下である。
【００３３】
壁体２０内に挿入された踏み板７０の端部７０ａの固定手段として、図７に示すように、壁体２０内に位置する踏み板７０の端部７０ａを鉛直方向に貫通する方向に設けられた定着部材７１と、定着部材７１と、壁体２０を構成するブロック１０とを一体的に固着する固化材Ｙと、を用いている。
【００３４】
図６，図７に示すように、踏み板７０の端部７０ａは、踏み板７０の直下に位置するブロック１０ｗと、踏み板７０の直上に位置するブロック１０ｖと、の間に挿入され、ブロック１０ｖ，１０ｗを鉛直方向に貫通する空洞部１２内に定着部材７１が収容され、空洞部１２内に固化材Ｙが充填されている。
【００３５】
ここで、図７，図８に基づいて、図６に示す階段構造２００の施工方法について説明する。図８に示すように、壁体２０を形成するために所定高さまで階段状に配列された複数のブロック１０ｗの上に、踏み板７０の一方の端部７０ａをそれぞれ載置すると、複数の踏み板７０が階段状に配列される。次に、複数の踏み板７０の上方にそれぞれブロック１０ｖを載置する。このとき、図７に示すように、ブロック１０ｖの一方の側面（壁体２０の一方の側面２１を形成する側の側面）１０ｖａの下方には、踏み板７０の端部７０ａが嵌入可能な切欠き部１０ｖｂが設けられているため、踏み板７０の端部７０ａは、壁体２０の側面２１側において、ブロック１０ｖ，１０ｗの間に挟持された状態で固定される。
【００３６】
この後、複数のブロック１０ｖの上にそれぞれ新たなブロック１０（図７参照）を順次載置し、固化材Ｘで互いに固着することによって所定高さの壁体２０を形成し、ブロック１０，１０ｖ，１０ｗの空洞部１２内に固化材Ｙを充填して固化させると、図６に示す階段構造２００を構築することができる。
【００３７】
階段構造２００においては、複数のブロック１０を水平方向及び鉛直方向に配列しながら壁体２０を構築していく工程において、複数の踏み板７０の一方の端部７０ａを壁体２０の側面２１から内部に挿入した状態に取り付けていくことにより、複数の踏み板７０を階段状に配置することができる。また、階段状に配置された複数の踏み板７０の一方の端部７０ａは定着部材７１及び固化材Ｙによって壁体２０に固定されるので、壁体２０を形成する作業と、階段を形成する作業と、を同時進行させながら施工することができ、施工工程の簡略化、施工コストの低減を図ることができる。
【００３８】
また、従来の壁体構造のように、予め構築した壁体に対し、複数の踏み板を階段状に固定するための固定部材などが不要となるので、施工コストを低減することができる。さらに、ブロック１０の鉛直方向のサイズより、厚みの小さな踏み板７０の端部７０ａを壁体２０の内部に挿入した状態で固定することにより、図６に示すように、上下方向に隣り合う踏み板７０の間に隙間を有する階段構造２００を構築することができる。
【００３９】
なお、図１〜図８に基づいて説明した階段構造１００，２００は本発明の階段構造を例示するものであり、本発明の階段構造は前述した階段構造１００，２００に限定されるものではない。
【産業上の利用可能性】
【００４０】
本発明に係る階段構造は、一般住宅、集合住宅、店舗、オフィスビルあるいは公共施設などの各種建設物における階段構築技術として建設業の分野において広く使用することができる。
【符号の説明】
【００４１】
１０，１０ｖ，１０ｗ，１０ｘ，１０ｙ，１０ｚ  ブロック
１０ａ，１０ｖａ  側面
１０ｖｂ  切欠部
１１  凹溝部
１２  空洞部
２０  壁体
２１，２２  側面
２３  縦筋材
３０，３０ｘ，３０ｙ，３０ｚ，７０  踏み板
３０ａ，３０ｂ，７０ａ，７０ｂ  端部
３０ｓ，７０ｓ  横断面
４０  固定手段
５０  支柱
６０  支持部材
７０ｘ  横断面
Ｘ，Ｙ  固化材
１００，２００  階段構造
【図１】
0006301290.tif 000002
【図２】
0006301290.tif 000003
【図３】
0006301290.tif 000004
【図４】
0006301290.tif 000005
【図５】
0006301290.tif 000006
【図６】
0006301290.tif 000007
【図７】
0006301290.tif 000008
【図８】
0006301290.tif 000009